(57)【要約】本明細書に記載される実施形態は、折り曲げられて直方体になり得る単一のブランクでできた包装箱を提供する。包装箱は、底部と、底部の反対側にあり底部に対してほぼ平行な上部と、上部と底部との間に配置され上部および底部に対してほぼ垂直な４つの壁とを画成する。４つの壁は、第１の壁、第２の壁、第３の壁、および第４の壁を含む。第１の壁は第３の壁の反対側にあり、第２の壁は第４の壁の反対側にある。第１の開口部および第２の開口部は、直方体の底部平面に対して平行な方向に直方体の第１の壁から第３の壁まで延び、且つ、直方体の底部平面に対して垂直な方向に上部から第２の壁および第４の壁の上縁部までそれぞれ延びている。
2019524574.tif 000002
【特許請求の範囲】
【請求項１】
包装箱において、
折り曲げられて直方体になる単一のブランクを含み、
前記直方体が、
底部と、
前記底部の反対側にあり該底部に対してほぼ平行な上部と、
前記上部と前記底部との間に配置され該上部および底部に対して垂直な４つの壁であって、第１の壁、第２の壁、第３の壁、および第４の壁を含み、前記第１の壁が前記第３の壁の反対側にあり、前記第２の壁が前記第４の壁の反対側にある、４つの壁と
を画成し、
前記第２の壁が、前記直方体の内部への第１の開口部を画成し、前記第４の壁が、前記直方体の前記内部への第２の開口部を画成し、前記第１の開口部および前記第２の開口部が、前記直方体の底部平面に対して平行な方向に前記直方体の前記第１の壁から前記第３の壁まで延び、且つ、前記直方体の前記底部平面に対して垂直な方向に前記上部から前記第２の壁および前記第４の壁の上縁部までそれぞれ延びており、前記第２の壁および前記第４の壁の前記上縁部が、前記直方体の前記底部から前記上部までの距離の５０パーセント以上の高さに配置される
ことを特徴とする包装箱。
【請求項２】
前記上部が、第１の上部フラップと、該第１の上部フラップの少なくとも一部を覆うように配置された第２の上部フラップとを含み、前記第１の上部フラップが前記直方体の第３の壁と一体であり、前記第２の上部フラップが前記直方体の第１の壁と一体であり、
前記第２の上部フラップが中間パネルを含み、該中間パネルが前記第１の上部フラップに対して平行であり、前記第３の壁との折り目および前記第２の上部フラップの遠位パネルとのフラップ中間折り目によって画成されており、前記第２の上部フラップの前記遠位パネルが、前記第３の壁の少なくとも一部を覆うように配置され、該第３の壁に対して平行であり、該第３の壁に固定される、
請求項１記載の包装箱。
【請求項３】
前記第２の上部フラップの前記遠位パネルがタブを画成し、前記直方体の前記第３の壁がスロットを画成し、前記タブが前記スロットに挿入されることによって前記遠位パネルが前記第３の壁に固定される、請求項２記載の包装箱。
【請求項４】
前記タブが、前記第２の上部フラップの前記遠位パネルと前記中間パネルとの間にある折り目に向かって後に向かう第１の肩縁部および第２の肩縁部を画成し、
前記スロットに隣接した前記直方体の前記第３の壁に前記第１の肩縁部および第２の肩縁部が接触することで前記タブが前記スロットから引き抜かれるのに抵抗するために、前記第１の肩縁部および第２の肩縁部が前記スロットよりも広く延びている、
請求項３記載の包装箱。
【請求項５】
前記第１の上部フラップが浮いている、請求項２〜４のいずれか一項に記載の包装箱。
【請求項６】
前記第１の上部フラップが、前記第３の壁との折り目によって前記第３の壁に近接し、第１の縁部によって前記第２の壁に近接し、第２の縁部によって前記第１の壁に近接し、第３の縁部によって前記第４の壁に近接して画成され、前記第２の縁部が、前記第１の壁と前記第２の上部フラップとの間の前記折り目に当接する、請求項５記載の包装箱。
【請求項７】
前記第１の上部フラップの前記第１の縁部および前記第３の縁部、並びにそれらに対応する前記中間パネルの縁部が、前記直方体の前記第２の壁および前記第４の壁によって画成されるそれぞれの平面から２ｃｍ以内まで延びている、請求項６記載の包装箱。
【請求項８】
前記単一のブランクが板紙で構成されている、請求項２〜７のいずれか一項に記載の包装箱。
【請求項９】
前記４つの壁の各々の外面、および前記第１の上部フラップの外に向いた面が、前記単一のブランクの片面から生じている、請求項２〜８のいずれか一項に記載の包装箱。
【請求項１０】
前記タブと前記遠位パネルの残りの部分との間に画成された切り取り線を含み、該切り取り線が破れて前記タブが前記遠位パネルの前記残りの部分から分離されることにより、前記第２の上部フラップが前記第３の壁から外れるよう構成された、請求項２〜９のいずれか一項に記載の包装箱。
【請求項１１】
前記遠位パネルの前記残りの部分が、解放可能なフラップを画成する第２の切り取り線を画成し、
前記第３の壁が、前記第１の上部フラップに対して平行な第２のスロットを画成し、
前記第２の切り取り線が破れることにより前記解放可能なフラップが前記遠位パネルから解放され、前記第２の上部フラップを前記第３の壁に固定することによって前記包装箱を再び閉じるために、前記解放可能なフラップが前記第２のスロットに挿入されるよう構成された、
請求項１０記載の包装箱。
【請求項１２】
前記中間パネルが第３の切り取り線を含み、該第３の切り取り線が、前記フラップ中間折り目から延び、前記中間パネルを横切って延び、前記フラップ中間折り目に戻ることにより、前記中間パネルの一部から第２の解放可能なフラップを形成し、
前記第３の切り取り線が破られた後、前記第２の解放可能なフラップが、前記フラップ中間折り目に沿って折り曲げられることによって前記中間パネルの残りの部分から離れる方向に折り曲げ可能であり、
前記第２の解放可能なフラップが、前記包装箱をフックに吊るすためのアパチャーが画成される、
請求項２〜１１のいずれか一項に記載の包装箱。
【請求項１３】
前記包装箱内に配置された複数のパッケージであって、各パッケージが前記第１の壁および前記第３の壁に対して平行に配向された平面状の形状を有し、各パッケージが実質的に前記底部から前記上部まで延び、且つ、前記第２の壁から前記第４の壁まで延びる、複数のパッケージを含む、請求項１〜１２のいずれか一項に記載の包装箱。
【請求項１４】
包装箱において、
折り曲げられて直方体になる単一のブランクを含み、
前記直方体が、
底部と、
前記底部の反対側にあり該底部に対して平行な上部と、
前記上部と前記底部との間に配置され該上部および底部に対して垂直な４つの壁であって、該４つの壁の各々がそれぞれの壁パネルで形成され、該壁パネルが第１の壁パネル、第２の壁パネル、第３の壁パネル、および第４の壁パネルを含み、前記第１の壁パネルが前記第３の壁パネルの反対側にあり、前記第２の壁パネルが前記第４の壁パネルの反対側にある、４つの壁と
を画成し、
前記第２の壁および前記第４の壁の前記上縁部が、前記直方体の前記底部から前記上部までの距離の５０パーセント以上の高さに配置され、
それぞれの前記壁の折り目が、前記第１の壁パネルと前記第２の壁パネルとの間、前記第２の壁パネルと前記第３の壁パネルとの間、および前記第１の壁パネルと前記第４の壁パネルとの間の境界を構成し、第４の壁の折り目が、前記第３の壁パネルと管形成フラップとの間の境界を構成し、前記管形成フラップが前記第４の壁パネルに固定され、
前記底部が、それぞれの前記壁パネルから延びる複数の底部フラップで構成され、前記底部フラップのうちの少なくとも２つが合わせて固定され、
前記上部が、前記第３の壁パネルから延びる第１の上部フラップと、前記第１の壁パネルから延びる第２の上部フラップとで構成され、前記第１の上部フラップが浮いており、前記第２の上部フラップが前記第１の上部フラップの少なくとも一部を覆うように配置され、前記第２の上部フラップが中間パネルおよび遠位パネルを含み、前記中間パネルおよび前記遠位パネルがそれらの間にフラップ中間折り目を有し、前記中間パネルが前記第１の上部フラップの少なくとも一部を覆うように配置され、前記遠位パネルが前記第３の壁パネルの一部を覆うように配置されて該第３の壁パネルに固定された
ことを特徴とする包装箱。
【請求項１５】
前記第１の上部フラップが、前記第３の壁との折り目によって前記第３の壁に近接し、第１の縁部によって前記第２の壁に近接し、第２の縁部によって前記第１の壁パネルに近接し、第３の縁部によって前記第４の壁パネルに近接して画成され、前記第２の縁部が、前記第１の壁パネルと前記第２の上部フラップとの間の前記折り目に当接する、請求項１４記載の包装箱。
【請求項１６】
包装箱を組み立てる方法において、
４つの垂直な壁と底部とを有する直方体の管を形成する工程と、
前記直方体の管の中に品物を配置する工程と、
第１の上部フラップを、該第１の上部フラップが延びている根元である前記管の第３の壁に対して垂直になるよう、内側に向かって折り曲げる工程と、
第２の上部フラップを、該第２の上部フラップが前記第１の上部フラップに対して平行になり、且つ、前記第１の上部フラップの少なくとも一部を覆うように配置されるよう、内側に向かって折り曲げる工程と、
前記第１の上部フラップを越えて伸びる前記第２の上部フラップの遠位端部を、該遠位端部が前記管の前記第３の壁に対して平行になるように、折り曲げる工程と、
前記第２の上部フラップの前記遠位端部を前記管の前記第３の壁に固定する工程と
を含み、
前記形成された包装箱が、前記垂直な壁のうちの１以上の壁に開口部を含み、該開口部が、該開口部を画成する前記垂直な壁の上縁部によって画成され、前記壁の前記上縁部が、前記直方体の前記底部から前記上部までの距離の５０パーセント以上の高さに配置される
ことを特徴とする方法。
【請求項１７】
固定する前記工程が、前記第２の上部フラップの前記遠位端部に画成されたタブを、前記管の前記第３の壁にあるスロットに挿入することを含む、請求項１６記載の方法。
【請求項１８】
前記タブが、前記第２の上部フラップの前記遠位端部と中間パネルとの間の前記折り目に向かって後に向かう第１の肩縁部および第２の肩縁部を画成し、
前記第１の肩縁部および第２の肩縁部が前記管の前記第１の壁に接触することで前記タブが前記スロットから引き抜かれるのに抵抗するために、前記第１の肩縁部および第２の肩縁部が前記スロットよりも広く延びている、
請求項１７記載の方法。
【請求項１９】
直方体の管を形成する前記工程が、前記直方体の管を形成するために、平坦に畳まれたスリーブを広げることを含み、
前記平坦に畳まれたスリーブが複数の底部フラップを含み、該底部フラップが、内側に向かって折り曲げられ、該底部フラップが延びている根元の壁パネルに対して平行に配置され、
前記複数の底部フラップのうちの少なくとも２つが、前記平坦に畳まれたスリーブが広げられて管になった際に、互いに機械的に結合されるそれぞれの特徴部を画成する、
請求項１６〜１８のいずれか一項に記載の方法。
【請求項２０】
本明細書において開示または記載されている任意の具現体もしくは製品、製法、および／または、製法限定製品。
【発明の詳細な説明】
【関連出願への相互参照】
【０００１】
本画は、２０１６年８月１６日に出願された米国仮特許出願第６２／３７５，８９１号による優先権を主張するものであり、その全体を参照して本明細書に組み込む。
【技術分野】
【０００２】
本発明は、壁に開口部を有する包装箱に関する。
【背景技術】
【０００３】
包装箱を開く前に、包装箱内の製品が消費者に見えるようにするために、包装箱に窓または開口部を含むことが望ましい場合がある。この製品の可視性は、消費者がより良好に製品を理解することを可能にし得るものであり、そのような理解は、売り上げの増加につながることが期待される。しかし、包装箱に窓または開口部を含むことは、包装箱の構築および充填の複雑さを増し得る。包装箱の構築の複雑さが増すことは、ブランクを形成する際の複雑さが増すこと、および、包装箱を組み立てるためのブランクの操作の複雑さが増すことの両方を含み得る。それに加えて、ブランクの開口部を覆う窓ペイン（例えば、透明プラスチックシート）を含む場合には、ペインを設けない開口部と比較して、コストが増す。しかし、ペインを設けない開口部を用いる場合には、包装箱を開く前に包装箱から製品が取り出される問題が増える。
【発明の概要】
【発明が解決しようとする課題】
【０００４】
従って、包装箱を開く前に製品を取り出すことを可能にせずに、包装箱内の製品の可視性を提供する包装箱が望まれる。そのような包装箱は、構築が容易で低コストであるのが望ましい。
【課題を解決するための手段】
【０００５】
本明細書に記載される実施形態は、折り曲げられて直方体になる単一のブランクで構成される包装箱を提供する。直方体は、底部と、底部の反対側にあり底部に対して平行な上部と、上部と底部との間に配置され上部および底部に対して垂直な４つの壁であって、第１の壁、第２の壁、第３の壁、および第４の壁を含み、第１の壁が第３の壁の反対側にあり、第２の壁が第４の壁の反対側にある、４つの壁とを画成する。第２の壁は、直方体の内部への第１の開口部を画成し、第４の壁は、直方体の内部への第２の開口部を画成する。第１の開口部および第２の開口部は、包装箱の底部平面に対して平行な方向に直方体の第１の壁から第３の壁まで延び、且つ、包装箱の底部平面に対して垂直な方向に上部から第２の壁および第４の壁の上縁部までそれぞれ延びている。第２の壁および第４の壁の上縁部は、直方体の底部から上部までの距離の５０パーセント以上の高さに配置される。
【０００６】
本明細書に記載される別の実施形態は、折り曲げられて直方体になる単一のブランクで構成される包装箱を提供する。直方体は、底部と、底部の反対側にあり底部に対して平行な上部と、上部と底部との間に配置され上部および底部に対して垂直な４つの壁とを画成する。４つの壁の各々はそれぞれの壁パネルで形成される。これらの壁パネルは、第１の壁パネル、第２の壁パネル、第３の壁パネル、および第４の壁パネルを含み、第１の壁パネルが第３の壁パネルの反対側にあり、第２の壁パネルが第４の壁パネルの反対側にある。それぞれの壁の折り目は、第１の壁パネルと第２の壁パネルとの間、第２の壁パネルと第３の壁パネルとの間、および第１の壁パネルと第４の壁パネルとの間の境界を構成する。第４の壁の折り目は、第３の壁パネルと管形成フラップとの間の境界を構成する。管形成フラップは第４の壁パネルに固定される。底部は、それぞれの壁パネルから延びる複数の底部フラップで構成され、底部フラップのうちの少なくとも２つは合わせて固定され得る。上部は、第３の壁パネルから延びる第１の上部フラップと、第１の壁パネルから延びる第２の上部フラップとで構成される。第１の上部フラップは浮いており、第２の上部フラップは第１の上部フラップの少なくとも一部を覆うように配置される。第２の上部フラップは、中間パネルと、遠位パネルと、遠位パネルを中間パネルから境界するフラップ中間折り目とを含む。中間パネルは、第１の上部フラップの少なくとも一部を覆うように配置され、遠位パネルは、第３の壁パネルの一部を覆うように配置されて第３の壁パネルに固定される。形成された包装箱は、垂直な壁のうちの１以上の壁に開口部を含み、開口部は、その開口部を画成する垂直な壁の上縁部によって画成され、壁の上縁部は、直方体の底部から上部までの距離の５０パーセント以上の高さに配置される。
【０００７】
本明細書に記載される更に別の実施形態は、包装箱を組み立てる方法を提供する。本方法は、４つの垂直な壁と底部とを有する直方体の管を形成する工程と、直方体の管の中に品物を配置する工程とを含む。本方法は、第１の上部フラップを、第１の上部フラップが延びている根元である管の第３の壁に対して垂直になるよう、内側に向かって折り曲げる工程も含む。第２の上部フラップも、第２の上部フラップが第１の上部フラップに対して平行になり、且つ、第１の上部フラップの少なくとも一部を覆うように配置されるよう、内側に向かって折り曲げられる。第１の上部フラップを越えて伸びる第２の上部フラップの遠位端部は、第２の上部フラップの遠位端部が管の第３の壁に対して平行になるように、内側に向かって折り曲げられる。第２の上部フラップの遠位端部は、管の第３の壁に着脱可能に固定され得る。
【図面の簡単な説明】
【０００８】
【図１】容易に構築可能であり、その内部に配置されている製品の可視性を提供する例示的な包装箱の斜視図
【図２】図１の包装箱の別の斜視図
【図３】図１の包装箱を側方から見た図
【図４】図１の包装箱を組み立てるために折り曲げられ得るブランクを上から見た図
【図５】図１の包装箱の底面図
【図６】図１の包装箱になるよう部分的に組み立てられ、再び平坦に畳まれた、図４のブランクの図
【図７】第１の上部フラップおよび第２の上部フラップが開いた状態の、図１の包装箱を上から見た図
【図８】第１の上部フラップが上部を覆うように折り曲げられ、第２の上部フラップが開いた状態の、図１の包装箱を上から見た図
【図９】第１の上部フラップおよび第２の上部フラップが上部を覆うように折り曲げられた状態の、図１の包装箱を上から見た図
【図１０】図１の包装箱を後方から見た図
【図１１】図１の包装箱を上から見た図
【図１２】解放可能なフラップが上に向かって折り曲げられた状態の、図１の包装箱の斜視図
【発明を実施するための形態】
【０００９】
図面は、単に例示的な実施形態を示すものであり、従って、範囲を限定するものであるとは見なされないことを理解し、本開示の包装箱の幾つかの例示的な実施形態を、添付の図面を用いて、更なる具体性および詳細で説明する。
【００１０】
本明細書において用いられる「第１」、「第２」等という用語は、何らかの順序、量、または重要性を意味するものではなく、むしろ、１つの要素を別の要素から区別するために用いられる。また、「a」および「an」という用語は、量の限定を意味するものではなく、むしろ、参照されている項目が少なくとも１つ存在することを意味し、「前」、「後」、「底部」、および／または「上部」という用語は、特に明記しない限り、単に、説明の便宜上用いられるものであり、何らかの１つの位置または空間的な向きに限定されない。
【００１１】
本明細書を通して、「一例」または「例」に対する参照は、或る例に関して記載される特定の特徴、構造、または特性が、少なくとも１つの実施形態に含まれることを意味するものである。従って、本明細書を通して様々な箇所に「一例において」または「例において」という語句が現れる場合、必ずしも同じ実施形態を指しているわけではない。更に、それらの特定の特徴部、構造、または特性は、１以上の実施形態において、任意の適切な方法で組み合わせられ得る。
【００１２】
図１および図２は、容易に構築可能であり、その内部に配置されている製品の可視性を提供する例示的な包装箱１００の斜視図である。例において、包装箱１００は、底部１０４と、底部１０４の反対側にあり底部１０４に対して平行な上部１０２と、上部１０２と底部１０４との間に配置され上部１０２および底部１０４に対して垂直な４つの壁１０６、１０８、１１０、１１２とを含む直方体形状を有する。包装箱１００の４つの壁は、互いに対向する第１の壁１０６および第３の壁１１０と、互いに対向し且つ第１の壁１０６および第３の壁１１０に対して垂直な第２の壁１０８および第４の壁１１２とを含む。本明細書において用いられる包装箱１００の「底部平面」１２０とは、包装箱１００の底部１０４によって画成される平面である。従って、壁１０６、１０８、１１０、および１１２は底部平面１２０に対してほぼ垂直であり、上部１０２は底部平面１２０に対してほぼ平行である。
【００１３】
この例では、第１の壁および第３の壁１１０は、包装箱１００の底部平面１２０に対して平行な寸法において、第２の壁１０８および第４の壁１１２より長い。しかし、他の例では、直方体の寸法は異なり得る。更に、特定の形状を有する壁１０６、１０８、１１０、および１１２が示されているが、上部１０２が開かれるまで包装箱１００内に製品１１８を保持するのを補助するという開口部１１２および１１６の所望の機能が保たれる限り、他の任意の幾何形状、形状、または縁部の輪郭が用いられてよい。
【００１４】
包装箱１００は剛性である。本明細書において用いられる「剛性」とは、包装箱１００が、完全に構築されたときに、更なる支持を用いることなく、自重を支持でき、直方体形状を保つことができることを意味する。「完全に構築された」とは、合わせて固定されることが意図されている包装箱１００のフラップおよびパネルがそのように固定された状態を指す。図１および図２は、完全に構築された状態の包装箱１００の例である。また、「剛性」とは、通常の取り扱い中に包装箱１００が最後までその直方体形状を保つことができることも意味する。最後に、剛性の包装箱として、包装箱１００は、包装箱１００内の内容物（例えば、製品１１８および／または加圧ガス）に形状が沿うものではなく、それらによって支持されるものでもない。包装箱１００は、任意の十分な剛性を有する材料（例えば、板紙等）で構成され得る単一のブランクから構築され得る。この単一のブランクは、本開示を通して説明されるように、折り曲げられて直方体になり得る。
【００１５】
包装箱１００は、包装箱１００の内部への１以上の開口部１１４、１１６を画成し得る。例において、１以上の開口部１１４、１１６は、包装箱１００の内部への第１の開口部１１４および第２の開口部１１６を含む。コストおよび複雑さを低減するため、および、消費者が包装箱１００内の製品１１８をより良好に吟味できるようにするために、第１の開口部１１４および第２の開口部１１６は、ペインを設けない（例えば、開口部が透明プラスチックシートで覆われていない）ものであり得る。本明細書の図面の多くにおいては、複数の製品１１８が示されているが、包装箱内には任意の数の製品（例えば、単一の製品または複数の製品）が含まれ得る。図示されているように、開口部１１４、１１６は、第２の壁１０８および第４の壁１１２に画成されている。
【００１６】
図３は、第２の壁１０８および第１の開口部１１４を示す、包装箱１００の図である。第１の開口部１１４は、主に、直方体の第２の壁１０８に対応する側面にある。図示されているように、第１の開口部１１４は、包装箱１００の上部１０２から下に向かって、第２の壁１０８の上縁部３０２まで、包装箱の底部平面１２０に対して垂直な方向に延びている。第１の開口部１１４は、第１の壁１０６から第３の壁１１０まで、底部平面１２０に対して平行な方向に延びている。従って、第１の開口部１１４は、概ね長方形の形状を有してもよく、または、第１の壁１０６、第２の壁１０８、第３の壁１１０、および第４の壁１１２によって画成され得る他の任意の形状を有してもよい。
【００１７】
概ね長方形の形状として、第１の開口部１１４は、４つの縁部によって画成される。４つの縁部のうちの２つの縁部は、底部平面１２０に対して平行な方向に延びており、他の２つの縁部は、底部平面１２０に対して垂直な方向に延びている。底部平面１２０に対して垂直な方向に延びている２つの縁部は、第１の壁１０６および第３の壁１１０によってそれぞれ画成される。底部平面１２０に対して平行な方向に延びている２つの縁部は、上部１０２および第２の壁１０８の上縁部３０２によって画成される。従って、開口部１１４は、第２の壁１０８自体によって３つの縁部上において画成されるのではなく、直方体の第２の壁１０８に隣接した複数の面によって３つの縁部上において画成される。
【００１８】
第２の壁１０８の開口部１１４を、第２の壁１０８に隣接した複数の面（即ち、上部１０２、第１の壁１０６、および第３の壁１１０）まで延び且つそれらによって画成されるようにすることで、構築が容易な、さほど複雑ではない包装箱１００が提供される。例えば、第２の壁１０８は、その上縁部３０２を越えては延びていないので、上部１０２と第２の壁１０８との間、または、第１の壁１０６および／もしくは第３の壁１１０の上部と第２の壁１０８との間における折り曲げは必要ない。このように折り曲げがないことは、包装箱１００が、その部分を手で折り曲げることによって組み立てられる場合には、特に有利であり得る。例えば、もし第２の壁１０８が、第１の開口部１１４の上部、左縁部、または右縁部のいずれかにおいて境界を構成する部分を有する場合には、この境界部分は、狭い境界部分を、隣接した面（例えば、上部１０２、第１の壁１０６、第３の壁１１０）に関して折り曲げるための、困難な折り曲げ工程を要する可能性が高い。そのような境界部分がなければ、困難な折り曲げる工程は必要ない。それに加えて、開口部１１４の縁部を構成する各パネルは、各パネルが包装箱１００の構造的構成要素であることに起因して安定しているので、そのような設計は、十分に支持された縁部を有する開口部１１４を可能にする。十分に支持された縁部は、包装箱１００を開く前に、開口部１１４を通して包装箱１００から製品１１８を取り出す試みを妨げ得る。
【００１９】
製品１１８のサイズおよび形状に関する開口部１１４のサイズは、（包装箱１００を分解または開くことなく）開口部１１４を通して製品１１８がどのくらい容易に取り出され得るかを決定する。この例では、製品が開口部１１４を通して取り出されることを容易にまたは全く可能にしないことが望ましい。従って、第２の壁１０８の上縁部３０２は、包装箱１００の底部１０４から上部１０２までの距離３０４の５０パーセント以上の高さに配置される。望ましくは、第２の壁１０８の上縁部３０２は、包装箱１００の底部１０４から上部１０２までの距離３０４の３０〜７５パーセントの範囲内、より好ましくは３３〜７５パーセント、５０〜７５パーセント、５５〜７５パーセント、５０〜６５パーセント、または５５〜６５パーセントの範囲内の高さに配置される。本明細書に示されている例では、上縁部３０２は、包装箱１００の上部１０２と底部１０４との間のほぼ半分のところ（即ち、距離３０４の５０％）に配置されている。従って、開口部１１４は、第２の壁１０８を構成するパネルとほぼ同じサイズである。
【００２０】
この例では、第１の開口部１１４は、包装箱１００の上部１０２に近接して配置されており、第１の開口部１１４の上部が、包装箱１００の上部１０２を構成するパネルによって画成されるようになっている。他の例では、第１の開口部１１４は、包装箱１００の底部１０４に近接して配置され、第１の開口部１１４の底部が、包装箱１００の底部１０４を構成するパネルによって画成されると共に、第１の開口部１１４の上部が、第２の壁１０８の下縁部によって画成されるようになっている。そのような別の例では、第２の壁１０８は、包装箱１００の上部１０２から下に向かって、第１の開口部１１４を画成する下縁部まで延び得る。
【００２１】
図示されている例のような幾つかの例では、第２の開口部１１６は、第２の開口部１１６が第２の壁１０８ではなく第４の壁１１２に主に画成されていることを除き、第１の開口部１１４と同一である。従って、第２の開口部１１６は、包装箱１００の上部１０２から下に向かって第４の壁１１２の上縁部まで、底部平面１２０に対して垂直な方向に延びると共に、第１の壁１０６から第３の壁１１０まで、底部平面１２０に対して平行な方向に延びる、概ね長方形の形状を有し得る。他の例では、第１の開口部１１４もしくは第２の開口部１１６のいずれかは含まれなくてもよく、および／または、第１の開口部１１４および第２の開口部１１６は互いに異なるサイズを有してもよい。
【００２２】
この例では、包装箱１００内に複数の製品１１８が保持されている。各製品１１８は、１以上のより小さい品物を収容したパッケージである。例において、より小さい品物は、ペット用のチューまたはおやつであるが、包装箱１００内、および／または包装箱１００内に配置されるパッケージ内には、任意の望ましい品物が含まれてよい。この例では、各製品１１８は、概ね平面状の形状を有する柔軟な小袋である。各製品１１８は、製品１１８の長手方向の平面内の互いに垂直な寸法として画成される高さおよび幅を有する形状を有する。各製品１１８の高さおよび幅は、第１の壁および第３の壁１０６、１１０の高さおよび幅に対応し、壁１０６、１１０の高さは、底部平面１２０に対して垂直な寸法であり、幅は、壁１０６、１１０の面に沿った、底部平面１２０に対して平行な寸法である。概ね平面状の形状として、各製品１１８の（長手方向の平面に対して垂直な）厚さは、製品１１８の高さおよび幅のうち小さい方の３分の１より小さい。
【００２３】
製品１１８は、包装箱１００内において、製品１１８の長手方向の平面が、包装箱１００の第１の壁および第３の壁１０６、１１０に対して平行になるよう配向され得る。各製品１１８の縁部は互いにほぼ位置合わせされ、各製品１１８が、その隣接した主要な表面が隣接した製品１１８に面して配置されるようになっていてもよい。開口部１１４、１１６は、群の中の前または後ろの製品１１８の主要な面に近接した壁ではなく、製品１１８の左右の縁部に近接した包装箱１００の壁１０８、１１２に画成される。従って、消費者は、開口部１１４、１１６を通して、包装箱１００内の複数の（例えば、全ての）製品１１８を見ることができる。
【００２４】
包装箱１００を開くかまたは別様で分解せずに、開口部１１４、１１６を通して製品１１８を容易に取り出すことができないように、各開口部１１４、１１６のサイズは、製品１１８のサイズに合わせて調整される。この調整は、各開口部１１４、１１６の対角線３０６を、各製品１１８の高さおよび幅より十分に小さく設定することを含む。例において、各開口部１１４、１１６の最も長い対角線３０６は、製品１１８の高さおよび幅のうちの小さい方の３／４未満である。
【００２５】
開口部１１４、１１６のサイズを制限するために、上部１０２、第１の壁１０６、および第３の壁１１０によって画成される開口部１１４、１１６の縁部は、第２の壁１０８および第４の壁１１２によってそれぞれ画成される平面まで、またはそれらの付近まで延びていてもよい。例において、開口部、１１４、１１６を画成する上部１０２、第１の壁１０６、および第３の壁１１０の縁部は、全ての点において、第２の壁１０８および第４の壁１１２によってそれぞれ画成される平面から５ｃｍ以内、特定の例では２ｃｍ以内である。
【００２６】
図４は、折り曲げられて包装箱１００を形成し得る例示的な単一のブランク４００を上から見た図である。本明細書において上述したように、ブランク４００は、当該技術分野において知られている剛性材料（例えば、板紙等）で構成される。ブランク４００は、４つの壁パネル４０６、４０８、４１０、４１２を含み、各壁パネルは、包装箱１００の壁１０６、１０８、１１０、１１２を構成する。特に、複数の上部フラップ４３２、４３４および複数の底部フラップ４２８、４３０が壁パネル４０６、４０８、４１０、４１２から延びており、包装箱１００の上部１０２および底部１０４を構成する。
【００２７】
包装箱１００を構築することは、ブランク４００を形成し、次に、ブランク４００から包装箱１００を組み立てることを含む。包装箱１００を組み立てることは、ブランク４００から包装箱１００を形成するために、ブランク４００を折り曲げて、合わせて固定することを含む。ブランク４００は、当該技術分野において知られている任意の方法で、材料のシートをブランク４００の形状に切断することによって作られ得る。これは、ナイフ、鋸、レーザ、または他の手段を用いて切断することを含み得る。
【００２８】
包装箱１００の壁１０６、１０８、１１０、１１２は、完全に構築された包装箱１００の（底部平面１２０に対して垂直な方向に画成された）共通の領域内にあるので、ブランク４００の壁パネル４０６、４０８、４１０、４１２は、ブランク４００の共通の帯状部内にある。具体的には、各壁パネル４０６、４０８、４１０、４１２の底部折り目線４１４は、他の壁パネル４０６、４０８、４１０、４１２の底部折り目線４１４と位置合わせされて、単一の底部折り目線４１４を構成する。同様に、第１の壁パネル４０６の上部折り目線４１６は、第３の壁パネル４１０の上部折り目線４１８と位置合わせされる。
【００２９】
それぞれの折り目線は、隣接した壁パネル４０６、４０８、４１０、４１２を境界する。これらの折り目線は、第１の壁パネル４０６を第２の壁パネル４０８から境界する第１−第２折り目線４２０と、第２の壁パネル４０８を第３の壁パネル４１０から境界する第２−第３折り目線４２２と、第４の壁パネル４１２を第１の壁パネル４０６から境界する第４−第１折り目線４２４とを含む。
【００３０】
包装箱１００を組み立てるために、ブランク４００は、図４に示されているような単一の平面の状態で開始する。次に、ブランク４００は、壁パネルの帯状部の第１の端部にある壁パネル４１０から延びる管形成フラップ４１９を、壁パネルの帯状部の反対側の端部にある壁パネル４１２に接触させるように、第１−第２壁パネル線４２０に沿って折り曲げられ得る。管形成フラップ４１９は、壁パネル４０６、４０８、４１０、４１２の帯状部内にあり、ブランク４００が第１−第２壁パネル線４２０に沿って折り曲げられたときに、反対側の端部の壁パネルと位置合わせされるようになっている。管形成フラップ４１９は、壁折り目線４２６に沿って折り曲げられ、例えば、接着剤４０２を用いて、壁パネル４１２に固定され得る。この例では、壁パネル４１０および壁パネル４１２は帯状部のそれぞれの端部上にあるが、他の例では、それらの端部上に他の壁パネル（例えば、４０６、４０８）があってもよい。
【００３１】
管形成フラップ４１９が反対側の壁パネル４１２に固定されたら、ブランク４００は、各壁折り目線４２０、４２２、４２４、４２６に沿って、各隣接した壁パネル４０６、４０８、４１０、４１２間に９０度の角度を生じるよう折り曲げられることによって、広げられ得る。これにより、ブランク４００から直方体の管が形成される。本明細書において用いられる「直方体の管」または「管」という用語は、ほぼ長方形の断面を有する中空の構造を指す。
【００３２】
包装箱１００の底部１０４は、壁パネル４０６、４０８、４１０、４１２から延びる複数の底部フラップ４２８、４３０を合わせて固定することによって形成され得る。この例では、複数の底部フラップは、２つの小さい底部フラップ４２８と、２つの大きい底部フラップ４３０とを含む。２つの大きい底部フラップ４３０は、底部１０４を形成する際に底部フラップ４２８、４３０を合わせて固定するために互いに機械的に結合され得るそれぞれの特徴部を含み得る。本明細書において用いられる「機械的に結合される」とは、２つの特徴部が、固定具（例えば、接着剤、ステープル等）を用いることなく、２つの特徴部間の接触によって合わせて保持されることを意味する。
【００３３】
図５は、組み立てられた包装箱１００の底面図である。図示されているように、複数の底部フラップ４２８、４３０は、フラップ４２８、４３０が壁パネル４０６、４０８、４１０、４１２に対して垂直に延び、且つ、上部１０２に対して平行に延びる位置にフラップ４２８、４３０を保持するために、合わせて固定される。この例では、各大きい底部フラップ４３０の一部は、それぞれの小さい底部フラップ４２８に対して外側に配置され、それらに接着される。２つの大きい底部フラップ４３０は、各大きい底部フラップ４３０の延長部分を、反対側の大きい底部フラップ４３０の一部に対して内側に配置することによって、合わせて機械的に結合される。即ち、各大きい底部フラップ４３０の一部は、反対側の大きい底部フラップ４３０に対して外側に配置され、各大きい底部フラップ４３０の他の部分は、反対側の大きい底部フラップ４３０に対して内側に配置される。
【００３４】
この例では、大きい底部フラップ４３０は、第１の壁パネル４０６および第３の壁パネル４１０から延びており、小さい底部フラップ４２８は、第２の壁パネル４０８および第４の壁パネル４１２から延びているが、他の例では逆であってもよい。更に、この例では、底部フラップ４２８、４３０は、接着および機械的結合の組合せによって合わせて固定されるよう構成されているが、他の例では、底部フラップは、当業者に知られている方法の中でも特に、接着、テープによる固定、またはフラップどうしの機械的結合を含む他の方法で、合わせて固定されるよう構成され得る。そのような別の例では、底部フラップ４２８、４３０は、本明細書に示されているものとは異なる形状を有し得る。例えば、底部フラップ４２８、４３０の各々は、単純な長方形の形状を有し、小さい底部フラップ４２８がその下に折り曲げられ、大きい底部フラップ４３０が小さい底部フラップ４２８の少なくとも一部を覆うように折り曲げられて、小さい底部フラップ４２８に接着剤で接着されてもよい。
【００３５】
包装箱１００は、上述の部分的に組み立てられた状態から、図６に示されている状態になるよう平坦に畳まれ得る。部分的に組み立てられた包装箱１００を再び平坦に畳むことは、部分的に組み立てられた包装箱を、壁折り目線４２０、４２２、４２４、４２６において折り曲げることによって、２つの壁パネルが他の２つの壁パネルの上に重なった状態に、潰すことを含む。例においては、大きい底部フラップ４３０は、底部フラップ４２８、４３０が合わせて固定された状態で、部分的に組み立てられた包装箱１００が図６に示されている状態になるよう再び平坦に畳まれるのを可能にするための、斜めの折り目線４０４を含み得る。斜めの折り目線４０４は、大きい底部フラップ４３０がそれぞれの小さい底部フラップ４２８に接着された状態で、底部フラップ４２８、４３０が、それらの底部フラップ４２８、４３０をそれぞれの壁パネル４０６、４０８、４１０、４１２から境界する底部折り目線４１４に沿って、内側に向かって折り曲げられて、２対の壁パネル４２０、４２２、４２４、４２６間に平らに重なることを可能にする。
【００３６】
包装箱１００が、先に行われる段階と後から行われる段階とを含む二段階プロセスで組み立てられる例では、部分的に組み立てられた包装箱１００を再び平坦に畳むことが望まれ得る。先に行われる段階は、包装箱１００を、上述のように底部フラップが合わせて固定された段階の部分的に組み立てられた状態まで構築する、第１の施設または場所で行われ得る。次に、部分的に組み立てられた包装箱は再び平坦に畳まれて、後者の段階の構築が行われる別の施設に出荷され得る。この後者の段階は、包装箱１００に製品を詰めることを含む、包装箱１００の残りの部分を構築することを含む。そのような状況で、包装箱を再び平坦に畳むことにより、２つの施設／場所間における輸送中に、部分的に組み立てられた各包装箱が占める空間が低減される。例において、構築の先に行われる段階および後から行われる段階の両方は、手で行われ得る（即ち、人が自分の手で直にブランク４００を操作する）。他の例では、先に行われる段階または後から行われる段階の一方または両方は、ブランク４００を操作する機械を用いて行われ得る。
【００３７】
いずれの場合にも、部分的に組み立てられた包装箱が再び平坦に畳まれる場合には、平坦に畳まれた包装箱は、（例えば、第２の場所において）包装箱１００の構築の続きを行うために、再び広げられ得る。部分的に組み立てられた包装箱を再び広げることは、図６に示されている平坦に畳まれた包装箱を壁折り目線４２０、４２２、４２４、４２６において折り曲げて、各壁パネルが隣接した壁パネルからほぼ９０度の角度に配置された直方体の管が形成される、広げられた状態にすることを含む。そのような広げられた状態の例が図７に示されている。
【００３８】
壁パネル４０６、４０８、４１０、４１２をほぼ９０度の相対的な角度まで広げる動作では、底部フラップ４２８、４３０は、壁パネル４０６、４０８、４１０、４１２に対して垂直な最終的な位置まで延びない場合がある。従って、壁パネル４０６、４０８、４１０、４１２が広げられる際、または広げられた後に、底部フラップ４２８、４３０が壁パネル４０６、４０８、４１０、４１２に対して垂直に配向されるように、底部フラップ４２８、４３０は、壁パネル４０６、４０８、４１０、４１２の内側から外に向かって押され得る。
【００３９】
包装箱が広げられたら、部分的に組み立てられた包装箱内に製品が配置され得る。この例では、製品は、複数の（例えば、５〜６個の）柔軟な小袋を含み、これらは位置合わせされて、部分的に組み立てられた包装箱内に配置される。
【００４０】
部分的に組み立てられた包装箱内に製品が入ったら、製品を包装箱１００内に保持するために、上部１０２が閉じられ得る。図７は、上部１０２が開いた状態の、部分的に組み立てられた包装箱の図である。上部１０２を閉じることは、上部フラップ４３２、４３４を上部折り目線４１６、４１８において内側に向かって折り曲げて、上部フラップ４３２、４３４が壁パネル４０６、４０８、４１０、４１２に対して垂直になるようにすることを含む。第３の壁パネル４１０から延びる第１の上部フラップ４３２は、第１の壁パネル４０６から延びる第２の上部フラップ４３４より前に、内側に向かって折り曲げられ得る。この例では、包装箱１００の完全に構築された構成において、第３の壁パネル４１０から延びる第１の上部フラップ４３２は浮いたままになる。即ち、第１の上部フラップ４３２は、壁パネル４０６、４０８、４１０、４１２、または第２の上部フラップ４３４のいずれにも固定されない。その代わりに、第１の上部フラップ４３２は、壁パネルに対して垂直な向きに折り曲げられて、包装箱１００内の製品の少なくとも一部を覆い、包装箱１００の他のいずれの部分にも固定されずに、その位置に残される。図８は、第２の上部フラップ４３４が内側に向かって折り曲げられるより前に、第１の上部フラップ４３２が内側に向かって折り曲げられて、上部が閉じられる際の、包装箱１００の図である。
【００４１】
第１の上部フラップ４３２が内側に向かって折り曲げられたら、第２の上部フラップ４３４が、第１の上部フラップ４３２を覆うように、内側に向かって折り曲げられ得る。具体的には、第２の上部フラップ４３４は、壁パネル４０６、４０８、４１０、４１２に対して垂直な向きに折り曲げられて、包装箱１００内の製品の、第１の上部フラップ４３２に対して平行な少なくとも一部を覆う。図９は、第２の上部フラップ４３４が折り曲げられてこの位置にある状態の、包装箱の図である。この例では、第２の上部フラップ４３４は、中間パネル４３６および遠位パネル４３８を含む。中間パネル４３６は、図９に示されているように、第２の上部フラップ４３４が壁パネル４０６、４０８、４１０、４１２に対して垂直に折り曲げられたときに、第１の上部フラップ４３２の少なくとも一部を覆うように配置される。この位置において、遠位パネル４３８は包装箱１００の上部１０２を越えて伸び、下に向かって折り曲げられて、第３の壁パネル４１０に対して平行になり、第３の壁パネル４１０と接触し得る。
【００４２】
次に、遠位パネル４３８は、包装箱１００の上部１０２を固定するために、第３の壁パネル４１０に固定され得る。この例では、遠位パネル４３８は、第３の壁パネル４１０に画成されたスロット４４２に挿入されるよう構成された、遠位パネル４３８に画成されたタブ４４０を含むことによって、第３の壁パネル４１０に固定され得る。この例では、タブ４４０は、中間パネル４３６と遠位パネル４３８との間のフラップ中間折り目４４６に向かって後に向かう複数の肩縁部４４４を含む。肩縁部４４４は、第３の壁パネル４１０にあるスロットよりも広く延びており、タブ４４０がスロット４４２に挿入されたら、肩縁部４４４が、スロット４４２に隣接した第３の壁パネル４１０に接触して、タブ４４０がスロット４４２から引き抜かれるのに抵抗するようになっている。図１０は、スロット４４０に挿入された第２の上部フラップ４３４のタブ４４０を示す、包装箱１００を後方から見た図である。他の例では、遠位パネル４３８は、例えば、１回限りのまたは再封止可能な接着剤を用いる等の他の方法で、第３の壁パネル４１０に固定され得る。接着剤が用いられる例では、遠位パネル４３８の形状は、タブ４４０および／または肩縁部４４４が存在しない等、異なっていてもよい。それに加えて、第２の上部フラップ４３４を第３の壁パネル４１０に固定するために、タブ４４０の代わりに接着剤が用いられる場合には、第３の壁パネル４１０のスロット４４２、４４８は存在しなくてもよい。
【００４３】
この例では、遠位パネル４３８には、タブ４４０の基部にある切り取り線４５２（例えば、穿孔された線）が含まれている。タブ４４０がスロット４４２に挿入された後、切り取り線４５２を破って遠位パネル４３８の残りの部分からタブ４４０を分離することができるように、肩縁部４４４は切り取り線４５２に対して遠位にある。この分離により、包装箱１００内の製品１１８を利用するために、第２の上部フラップ４３４を折り曲げて開くことによって、包装箱１００を開くことが可能になる。肩縁部４４４およびスロット４４２を含むタブ４４０のサイズは、タブ４４０をスロット４４２に挿入でき、且つ、切り取り線４５２を破らずに容易に取り外すことができないように、調整され得る。従って、包装箱１００は、切り取り線４５２を破らずに第２の上部フラップ４３４を折り曲げて開こうとしても容易に開くことができないので、切り取り線４５２は改竄の指標として作用し得る。切り取り線４５２は、第２の上部フラップ４３４を上に向かって引っ張って肩縁部４４４をスロット４４２に隣接した第３の壁パネル４１０に接触させる適切な力に応答して、破れるよう構成され得る。
【００４４】
この例では、第３の壁パネル４１０に第２のスロット４４８が含まれている。第２のスロット４４８は、上部１０２に対して平行であり、且つ、第１のスロット４４２よりも上部１０２に近い。第２のスロット４４８は、包装箱１００を再び閉じる特徴を設けるために、遠位パネル４３８にある解放可能なタブ４５０と関連して作用する。切り取り線４５２が破られて包装箱１００が開かれた後、包装箱１００は、第２の切り取り線４５４（例えば、穿孔された線）を破って解放可能なタブ４５０を解放することにより、再び閉じることができる。次に、第１の上部フラップ４３２および第２の上部フラップ４３４は、包装箱１００の上部１０２を覆うように再び折り曲げられ、解放可能なタブ４５０は第２のスロット４４８に挿入されて、第２の上部フラップ４３４の遠位端部４３８を第３の壁パネル４１０に対して保持し得る。これにより、第１の上部フラップ４３２および第２の上部フラップ４３４が閉じた状態に保持され、包装箱１００を最初に開いた後に使われなかった製品１１８（あれば）を、後で用いるために包装箱１００内に保持することができる。
【００４５】
この第１の上部フラップ４３２および第２の上部フラップ４３４の構成は、第１の上部フラップ４３２の外表面領域全体を、そこにマークを施すために保ちつつ、上部１０２を容易に閉じることを可能にし得る。例えば、もし、第２の上部フラップ４３４を第１の上部フラップ４３２および／または第３の壁パネル４１０に固定するために接着剤が用いられる場合には、接着剤によって、第１の上部フラップ４３２および／または第３の壁パネル４１０の外面の一部は、マークのために用いられることが困難になる。しかし、この第１の上部フラップ４３２が浮いている構成では、第１の上部フラップ４３２の外表面領域が、そこにマークを施すために保たれる。そのようなマークは、消費者が開口部包装箱１００を開いているとき、即ち、第２の上部フラップ４３４が折り曲げられて開かれたときであって、第１の上部フラップ４３２が折り曲げられて開かれる前に、消費者から見える。
【００４６】
それに加えて、閉じるために１回折り曲げればよい（上部折り目線４１８に沿って折り曲げればよい）第１の上部フラップ４３２を有することで、手で下に向かって折り曲げることが容易になる。また、第１の上部フラップ４３２は、第１の上部フラップ４３２が内側に向かって壁パネル４０６、４０８、４１０、４１２に対して垂直な位置まで折り曲げられたときに、第１の上部フラップ４３２の縁部が第１の壁パネル４０６の上部折り目線４１６に当接する寸法を有するよう構成され得る。従って、第２の上部フラップ４３４を手で折り曲げる際に、第１の上部フラップ４３２の縁部を上部折り目線４１６に接触させて保持でき、第２の上部フラップ４３４を折り曲げるための支持を設けることができる。第２の上部フラップ４３４を折り曲げる際に上部折り目線４１６を支えることは、よりくっきりした角を生じて、上部折り目線４１６に沿った折り目が生じることを確実にすることを補助し得る。このことは、平坦な上部１０２を生じて、上部１０２における望ましくない「ドーム」効果を回避することを補助する。また、包装箱１００が完全に構築されたら、第１の上部フラップ４３２の縁部と上部折り目線４１６とが接触することにより、包装箱１００に更なる剛性が加えられ得る。
【００４７】
最後に、タブ４４０およびスロット４４２を用いて第２の上部フラップ４３４を第３の壁パネル４１０に固定することは、第２の上部フラップ４３４を手で固定するための容易な手段を提供すると共に、切り取り線４５２を改竄の指標として用いる能力を提供する。
【００４８】
図１１は、包装箱１００を上から見た図である。例において、第２の上部フラップ４３４の中間パネル４３６には、第３の切り取り線１１０２（例えば、穿孔された線）が画成されている。第３の切り取り線１１０２は、中間パネル４３６の一部から解放可能なフラップ１１０４を形成するために、フラップ中間折り目４４６（遠位パネル４３８と中間パネル４３６との間）から延びて中間パネル４３６の表面を横切り、フラップ中間折り目４４６に戻る。切り取り線１１０２を破ることで、解放可能なフラップ１１０４が中間パネル４３６の残りの部分から分離される。次に、解放可能なフラップ１１０４は、フラップ中間折り目４４６周りに外に向かって折り曲げられて、第３の壁パネル４１０と位置合わせされ得る。解放可能なフラップ１１０４は、包装箱１００を柱等に吊るすのを可能にするスロット１１０６を含み得る。図１２は、解放可能なフラップ１１０４が外に向かって折り曲げられた状態の、包装箱１００の図である。図１２にはフラップ１１０４の特定の構成が示されているが、解放可能なフラップ１１０４は、任意の所望の形状で設けられてよく、望ましくは、包装箱１００において用いられるまたは現れる別の形状またはマークに対応する形状を有して設けられ得る。
【００４９】
壁１０６、１０８、１１０、１１２の外面、並びに第１の上部フラップ４３２および第２の上部フラップ４３４外面の各々は、ブランク４００の同じ面上において生じているので、折り曲げられていない（平面状の）ブランク４００の片面にのみにマーキングを行うことによって、壁１０６、１０８、１１０、１１２の外面のうちの１以上（例えば、全て）、並びに／または、第１の上部フラップ４３２および第２の上部フラップ４３４外面上にマーキングを達成できる点が有利である。ブランク４００の片面のみにマーキングを行い、他方の面には行わないことにより、マーキングコストを低減できる。他の例では、ブランク４００の両面がマークを含み得る。マークのマーキングは、インクジェットプリント法、輪転グラビア印刷法、レーザマーキング、または他のマーキング手段を含む任意の適切な方法で行われ得る。
【符号の説明】
【００５０】
１００  包装箱
１０４  底部
１０２  上部
１０６、１０８、１１０、１１２  垂直な４つの壁
１１２、１１６  開口部
１１８  製品
１２０  底部平面
４００  ブランク
４０４  斜めの折り目線
４０６、４０８、４１０、４１２  ４つの壁パネル
４１４  底部折り目線
４１６、４１８  上部折り目線
４１９  管形成フラップ
４２０、４２２、４２４、４２６  壁折り目線
４３２、４３４  上部フラップ
４２８、４３０  底部フラップ
４３６  中間パネル
４３８  遠位パネル
４４０  タブ
４４２  スロット
４４４  肩縁部
４４６  フラップ中間折り目
４５２  切り取り線
４４８  第２のスロット
４５０  解放可能なタブ
４５４  第２の切り取り線
１１０２  第３の切り取り線
１１０４  解放可能なフラップ
１１０６  スロット
【図１】
2019524574.tif 000003
【図２】
2019524574.tif 000004
【図３】
2019524574.tif 000005
【図４】
2019524574.tif 000006
【図５】
2019524574.tif 000007
【図６】
2019524574.tif 000008
【図７】
2019524574.tif 000009
【図８】
2019524574.tif 000010
【図９】
2019524574.tif 000011
【図１０】
2019524574.tif 000012
【図１１】
2019524574.tif 000013
【図１２】
2019524574.tif 000014
【国際調査報告】
2019524574.tif 000015
2019524574.tif 000016